(57)【要約】【課題】長期にわたってメンテナンスの必要がなく、比重の大きな塵埃も回収でき、回収洩れの少ない乗客コンベアの清掃装置を提供する。【解決手段】乗客コンベアの踏板１が反転する部分に設けられ、塵埃を所定の場所に集積する塵埃集積手段１０と、前記集積した塵埃を回収する塵埃回収手段１１,１２,１４と、前記回収した塵埃を圧縮格納する塵埃圧縮格納手段１３,１５とを備えた乗客コンベアの清掃装置により達成される。【選択図】図１
2005179001.tif 000002
【特許請求の範囲】
【請求項１】
無端状に連結された踏板が移動して乗客を搬送する乗客コンベアにおいて、前記踏板が反転する部分に設けられ、塵埃を所定の場所に集積する塵埃集積手段と、前記集積した塵埃を回収する塵埃回収手段と、前記回収した塵埃を圧縮格納する塵埃圧縮格納手段とを備えた乗客コンベアの清掃装置。
【請求項２】
請求項１記載の乗客コンベアの清掃装置において、前記塵埃集積手段は前記踏板が反転する移動軌跡に沿って設けられた遮蔽板であり、前記塵埃回収手段は前記遮蔽板の下部に設けられ、遮蔽板に沿って開口部を設けた中空のダクト状構造物と、前記ダクト状構造物の一端に設けた送風機とからなるものである乗客コンベアの清掃装置。
【請求項３】
請求項１記載の乗客コンベアの清掃装置において、前記塵埃集積手段は前記踏板が反転する移動軌跡に沿って設けられた遮蔽板であり、前記塵埃回収手段は前記遮蔽板の下部に設けられ、遮蔽板に沿って開口部を設けた中空のダクト状構造物と、前記ダクト状構造物の内部の一部区間あるいは全区間に設けたスクリューコンベアとからなるものである乗客コンベアの清掃装置。
【請求項４】
請求項１記載の乗客コンベアの清掃装置において、前記塵埃圧縮格納手段は、塵埃を回収する開口部と、該開口部とは別に空気のみを透過するフィルター部分を備えた塵埃格納容器と、前記塵埃格納容器のフィルター部分より前記塵埃格納容器内の空気を吸引する空気吸引手段とからなるものである乗客コンベアの清掃装置。
【請求項５】
請求項４記載の乗客コンベアの清掃装置において、前記塵埃格納容器は、空気吸引手段が備えられた収納容器に収納されており、前記収納容器の上部には前記塵埃格納容器を取り出す開閉部が設けられたものである乗客コンベアの清掃装置。
【請求項６】
請求項５記載の乗客コンベアの清掃装置において、前記塵埃格納容器は、乗客コンベアの降り場の一部に設けられた開閉部の下部に備えられており、前記塵埃格納容器は、前記降り場の一部に設けられた開閉部より取り出せるように構成された乗客コンベアの清掃装置。
【請求項７】
請求項５記載の乗客コンベアの清掃装置において、前記塵埃格納容器は、取り付け枠に取り付けられるものであり、前記取り付け枠は、前記塵埃格納容器の開口部を収納容器の開口部に密着させる押さえ部分と、前記塵埃格納容器を収納容器から取り出すための取っ手部分とを備えたものである乗客コンベアの清掃装置。
【請求項８】
請求項１記載の乗客コンベアの清掃装置において、前記踏板が反転する部分に備えられ、前記踏板の上面部分を摺動するように設置されたブラシを備えた乗客コンベアの清掃装置。
【発明の詳細な説明】
【技術分野】
【０００１】
本発明は、エスカレーターやオートラインなどの乗客コンベアの清掃装置に関するものである。
【背景技術】
【０００２】
エスカレーターやオートラインなどの乗客コンベアでは、無端状に連結された踏板が機械室内で反転する際に踏板上に乗っていた塵埃が落下したり、踏板が機械室内に引き込まれることにより発生する気流などによって乗客コンベアの下部フレーム内空間に塵埃が堆積する。この塵埃を自動的に清掃する清掃装置としては、送風機を有し、踏板の反転部において踏板上面が下を向いた時に送風機により踏板上面に風を吹付けて塵埃を剥離させる。その一方で、送風機の吸気口を踏板の反転部に向けて設置し、剥離させた塵埃を吸気口前部に設けたフィルターで捕集することにより、塵埃を回収するものである(特許文献１参照)。
【特許文献１】特開平６−２７１２７１号公報(段落番号００１０,００１１,００１５,００１６,図１,図２,図３)
【発明の開示】
【発明が解決しようとする課題】
【０００３】
上記従来の装置では、塵埃をフィルターに吸着させて回収する構造であるため、あまり多くの塵埃を保持しておくことができない。即ち、フィルター面に塵埃が堆積してくると送風機の吸引力が低下してくるので、利用者が多く塵埃が大量に発生する乗客コンベアなどにおいては、比較的短期間でフィルターを交換するなどのメンテナンスが必要である。
【０００４】
また、風を吹付けて剥離した塵埃を吸着する方法であるため、土埃や砂など比重の大きな塵埃を回収することは難しい。
【０００５】
また、剥離した塵埃の一部はフィルターに吸着されずに周囲に堆積したり、例えば踏板の動きに沿って乗客コンベアの下部フレーム内空間に入り込んでいくことも考えられる。
【０００６】
そこで、本発明の目的は、塵埃が大量に発生するような乗客コンベアにおいても長期間にわたってメンテナンスの必要がなく、土埃や砂などの比重の大きな塵埃も回収でき、回収洩れの少ない乗客コンベアの清掃装置を提供することにある。
【課題を解決するための手段】
【０００７】
上記目的は、無端状に連結された踏板が移動して乗客を搬送する乗客コンベアにおいて、前記踏板が反転する部分に設けられ、塵埃を所定の場所に集積する塵埃集積手段と、前記集積した塵埃を回収する塵埃回収手段と、前記回収した塵埃を圧縮格納する塵埃圧縮格納手段とを備えた乗客コンベアの清掃装置により達成される。
【発明の効果】
【０００８】
本発明による乗客コンベアの清掃装置によれば、塵埃格納容器内に塵埃を圧縮・格納することができるので塵埃が大量に発生するような乗客コンベアにおいても長期間にわたってメンテナンスの必要がなく使用することができる。また、塵埃回収ダクト内に設けたスクリューコンベアと強力な送風機による吸引動作により、土埃や砂などの比重の大きな塵埃も回収することができる。更にまた、遮蔽板と塵埃回収ダクトにより形成される空気の流れにより塵埃を確実に回収し、回収洩れの少ない乗客コンベアの清掃装置を提供することができる。
【発明を実施するための最良の形態】
【０００９】
以下、本発明の実施の形態をエスカレーターに適用した例について説明する。エスカレーターは、図６に示すように無端状に連結された踏段１、これを周回させるターミナルギア２、ターミナルギアを駆動する駆動装置３、踏段と同期して周回するハンドレール４、踏段、ターミナルギア、駆動装置等が格納されているフレーム内空間５などからなる。本発明による清掃装置は、エスカレーターが上昇運転をする場合には、フレーム内空間５の上端側付近５ａ（機械室）に設置され、下降運転をする場合には、フレーム内空間５の下端側付近５ｃに設置される。
【００１０】
図１は、本発明による清掃装置とその設置状態をエスカレーターの側面から見た状態を示す図である。この例では、清掃装置を上昇運転するエスカレーターの機械室に取り付けたものである。図において、１は踏段、２はターミナルギアを表す。１ａは踏段１がターミナルギア２に駆動されて反転移動する際の最大動作半径を表し、これより内側では踏段の反転動作中に踏段と干渉することを表す。１０は、踏段の反転動作の軌跡に沿って設置された遮蔽板で、１１は遮蔽板の下部に備えられた塵埃回収用のダクトであり、遮蔽板１０に接した側に開口部１１ａを備えている。ダクト１１は、接続ダクト１２を介して塵埃格納部１３に接続されている。塵埃格納部１３には、塵埃回収用の送風機１４と塵埃圧縮格納用の送風機１５が備えられている。また、１６は踏段１の上面を摺動するように設置されたブラシである。
【００１１】
図２は、本発明による清掃装置とその設置状態をエスカレーターの上部から見た状態を示す図である。塵埃回収用のダクト１１には、シャフト１１ｂとその周囲に螺旋状に搬送フィン１１ｃを設けたスクリューコンベアが備えられ、これは駆動装置１１ｄによって駆動される。このスクリューコンベアは、シャフト１１ｂと搬送フィン１１ｃを弾性体で構成し、接続ダクト１２の部分にまで延長したものであっても良い。
【００１２】
図３は、塵埃格納部１３の詳細を示す図である。１７は、塵埃格納部１３の内部に備えられた塵埃格納容器であり、例えば空気を通す布の様な素材でできた袋状の容器として構成される。１８は、塵埃格納容器１７に設けられた開口部とパッキンであり、塵埃格納部１３の開口部と塵埃格納容器１７の開口部が密着するように設けられている。１９は、弾性体でできた逆流防止弁であり、塵埃格納容器１７内部に塵埃を吸引する際には開くが、その他の場合には閉じて、塵埃格納容器１７内部に格納された塵埃が外に漏れ出さないようにする。２０は、フィルターであり、２１は弾性体でできた逆流防止弁である。
【００１３】
また、塵埃格納部１３の上部１３ａは、蝶番１３ｂによって開閉可能となっており、通常はロック機構１３ｃによってしっかりと蓋をした状態となっている。
【００１４】
５は、エスカレーターの降り場床板であり、図４に示すように塵埃収納部１３が設置されている部分の上部に当たる部分には５ａで示すような開閉可能な蓋が設けられている。
【００１５】
次に、本発明による清掃装置の動作について説明する。
【００１６】
まず、エスカレーターの通常運転状態では、踏段１はターミナルギアに沿って上から下へ弧を描きながら反転動作を行う。踏段と遮蔽板の間に挟まれた空間では、この踏段の反転動作によって図１の矢印に示すような方向の空気の流れが生じる。また、送風機１４は、塵埃回収ダクト１１および接続ダクト１２内の空気を外に出すように運転される。この時、逆流防止弁１９は閉じた状態で、逆流防止弁２１は開いた状態となっている。これによって、踏段上面に付着していた塵埃や踏段の動きとともに機械室に引き込まれてきた塵埃の内、綿埃や毛髪のような比重の小さい塵埃は塵埃回収ダクト１１の付近に集まると同時に、回収ダクト１１から吸引されて、フィルター２０の付近に集められる。塵埃回収ダクト１１の付近では、塵埃回収ダクト１１に吸い込まれる気流ができるため、遮蔽板に沿って流れてきた塵埃は、塵埃回収ダクト１１より先に流れ込まずに塵埃回収ダクト１１に回収される。これにより、エスカレーターのフレーム内空間５において、傾斜部分５ｂにまで塵埃が拡散するのを防ぐことができる。
【００１７】
一方、土埃や砂などの比重の大きな塵埃は、踏段の反転動作とともに踏段上面から落下すると、遮蔽板１０によって、やはり塵埃回収ダクト１１付近に集められる。これらの塵埃は、塵埃回収ダクト１１内に備えられたスクリューコンベア１１ｂ、１１ｃによって接続ダクト１２付近まで搬送される。
【００１８】
また、ブラシ１６が備えられている場合には、踏段１が反転動作をする際に、ブラシ１６が踏段の上面部分を摺動し、踏段上面にこびりついた塵埃を剥がす。剥がされた塵埃は、遮蔽板１０に沿って落下し、塵埃回収ダクト１１によって回収される。これによって、更に確実に塵埃を回収することができる。
【００１９】
次に、エスカレーターの一日の運転が終了した時点など適切なインターバルで強力な送風機１５を作動させ、フィルタ２０付近に集められた比重の小さい塵埃と接続ダクト１２付近に集められた比重の大きい塵埃をともに塵埃格納容器１７内に吸引する。このとき、逆流防止弁１９は開いた状態、逆流防止弁２１は閉じた状態となる。送風機１５の運転が止まると逆流防止弁１９は弾性力によって再び閉じた状態となり、吸引された塵埃は塵埃格納容器１７内に圧縮されて蓄積された状態となる。
【００２０】
上記構成において、送風機１４、フィルタ２０、逆流防止弁２１を備えず、この部分は閉塞した状態とし、エスカレーターの通常運転状態においても、常に送風機１５を作動させて塵埃を回収・吸引する構成としてもよい。但し、比重の大きな土埃や砂などを吸引したり、塵埃を塵埃格納容器１７内に圧縮・格納するためには強力な吸引力が必要であるため、送風機１５はかなり大きな騒音を発生すると考えられる。このため、通常運転時には騒音の小さな送風機１４によって空気を巡回させながら塵埃を集めておき、短期間だけ騒音の大きな送風機１５により塵埃を圧縮・格納する上記構成のほうがより望ましい構成である。
【００２１】
塵埃格納容器１７に格納された塵埃が一杯となったら、エスカレーターの降り場部分５に設けた開閉部５ａを開け、塵埃格納部１３の開閉部１３ａのロック機構１３ｃを解除して開閉部１３ａを開ける。そして、塵埃格納容器１７を取り出すことによって、塵埃を廃棄する。
【００２２】
塵埃格納容器１７は、図５の１７ａに示すような取り付け枠に装着されているものであってもよい。取り付け枠の１７ｂの部分は塵埃格納容器１７の開口部に設けられたパッキン１８を挟み込む構造となっている。また、取り付け枠の１７ｃの部分は、塵埃格納容器１７を取り出す際の取っ手として用いられると同時に、塵埃格納部１３の開閉部１３ａを閉じたときに、開閉部１３ａと接して押さえ込まれ、これによって１７ｂの部分を塵埃格納部１３の開口部に押し付けて塵埃格納容器１７の開口部を押さえ込むように作用するものである。
【００２３】
以上説明した構成においては、塵埃格納容器１７の底部に開口部１８が設けられて、そこから塵埃を回収する構造としたが、この開口部は図７、図８に示すように塵埃格納容器１７の上部付近に設けるものであっても良い。この場合は、塵埃格納容器回収時などに塵埃が格納容器１７の底部から漏れる可能性を無くすことができる。
【図面の簡単な説明】
【００２４】
【図１】本発明による乗客コンベアの清掃装置の実施例を側面から見た状態を示す図である。
【図２】本発明による乗客コンベアの清掃装置の実施例を上部から見た状態を示す図である。
【図３】本発明による乗客コンベアの清掃装置の塵埃格納部の詳細を示す図である。
【図４】乗客コンベアの降り場付近に設けられた塵埃格納容器の取り出し用開閉部を説明する図である。
【図５】塵埃格納容器を取り付ける取り付け枠を説明する図である。
【図６】エスカレーターの構造を説明する図である。
【図７】塵埃格納容器における塵埃回収口を上部に設けた場合の構造を示す図である。
【図８】図７に示す構造を上部から見た状態を示す図である。
【符号の説明】
【００２５】
１  踏段
２  ターミナルギア
１０  遮蔽板
１１  塵埃回収ダクト
１２  接続ダクト
１３  塵埃格納部
１４  塵埃回収用送風機
１５  塵埃圧縮・格納用送風機
１６  ブラシ
【図１】
2005179001.tif 000003
【図２】
2005179001.tif 000004
【図３】
2005179001.tif 000005
【図４】
2005179001.tif 000006
【図５】
2005179001.tif 000007
【図６】
2005179001.tif 000008
【図７】
2005179001.tif 000009
【図８】
2005179001.tif 000010